【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
被写体を撮影することによって取得された入力画像データを、画素毎の属性情報と前記撮影時の照明情報とを用いて画像処理する画像処理装置において、Ｎは正の整数としたときに、少なくとも、
Ｎ個の加重平均算出手段と、
Ｎ個の減算手段と、
ゲイン算出パラメータ選択情報算出手段と、
Ｎ＋１個のベース成分連動ゲイン算出手段と、
Ｎ個の帯域連動ゲイン算出手段と、
Ｎ個のゲイン乗算手段と、
ベース成分乗算手段と、
Ｎ個の帯域分割乗算手段と、
加算手段と
を有し、
前記Ｎ個の加重平均算出手段は、前記入力画像データの着目画素の画素値と該着目画素の周辺の周辺画素の画素値とを参照して、エッジ成分を保存しながらＮ個の加重平均画素値をそれぞれ算出し、また、前記Ｎ個の加重平均算出手段が前記Ｎ個の加重平均画素値の算出時に参照する画素の画素数が互いに異なる画素数であり、
前記Ｎ個の減算手段は、前記Ｎ個の加重平均画素値と前記着目画素の画素値とから成るＮ＋１個の画素値の中から選択された２個の画素値の差分をとることによって、Ｎ個の帯域分割画素値をそれぞれ算出し、
前記ゲイン算出パラメータ選択情報算出手段は、前記着目画素に対応する前記属性情報と前記撮影時の前記照明情報とから、前記着目画素に関するゲイン算出時に選択されるパラメータを示すゲイン算出パラメータ選択情報を算出し、
前記Ｎ＋１個のベース成分連動ゲイン算出手段は、前記Ｎ個の加重平均算出手段の中で、加重平均画素値の算出時に参照する画素数が最も多い加重平均算出手段によって算出された加重平均画素値であるベース成分画素値と、前記着目画素に関するゲイン算出パラメータ選択情報とから、Ｎ＋１個のベース成分連動ゲインをそれぞれ算出し、
前記Ｎ個の帯域連動ゲイン算出手段は、前記Ｎ個の帯域分割画素値と、前記着目画素に関するゲイン算出パラメータ選択情報とから、Ｎ個の帯域連動ゲインをそれぞれ算出し、
前記Ｎ個のゲイン乗算手段は、前記Ｎ＋１個のベース成分連動ゲインの中で、前記Ｎ個の帯域分割画素値に対応するＮ個のベース成分連動ゲインと、前記Ｎ個の帯域連動ゲインとをそれぞれ乗算することによって、Ｎ個の合成ゲインを生成し、
前記ベース成分乗算手段は、前記ベース成分画素値に対応するベース成分連動ゲインと、前記ベース成分画素値とを乗算し、
前記Ｎ個の帯域分割乗算手段は、前記Ｎ個の帯域分割画素値に対応する前記Ｎ個の帯域連動ゲインと、前記Ｎ個の帯域分割画素値とをそれぞれ乗算し、
前記加算手段は、前記ベース成分乗算手段の前記乗算によって得られた画素値と、前記Ｎ個の帯域分割乗算手段の前記乗算によって得られたＮ個の画素値とから成るＮ＋１個の画素値を加算することによって、出力画素値を算出する
ことを特徴とする画像処理装置。
【請求項２】
前記Ｎ＋１個のベース成分連動ゲイン算出手段は、
Ｍを２以上の整数としたときに、Ｍ組のベース成分連動ゲイン算出パラメータをそれぞれ備え、
前記着目画素に関するゲイン算出パラメータ選択情報を参照して、前記Ｍ個のベース成分連動ゲイン算出パラメータから１個のベース成分連動ゲイン算出パラメータを選択し、該選択されたベース成分連動ゲイン算出パラメータと、前記着目画素に関するベース成分画素値とを参照して、Ｎ＋１個のベース成分連動ゲインをそれぞれ算出する
ことを特徴とする請求項１に記載の画像処理装置。
【請求項３】
前記Ｎ個の帯域連動ゲイン算出手段は、
Ｌを２以上の整数としたときに、Ｌ組の帯域連動ゲイン算出パラメータをそれぞれ備え、
前記着目画素に関するゲイン算出パラメータ選択情報を参照して、前記Ｌ個の帯域連動ゲイン算出パラメータから１個の帯域連動ゲイン算出パラメータを選択し、該選択された帯域連動ゲイン算出パラメータと、前記着目画素に関する前記Ｎ個の帯域分割画素値とから、前記Ｎ個の帯域連動ゲインをそれぞれ算出する
ことを特徴とする請求項１又は２に記載の画像処理装置。
【請求項４】
前記入力画像データは、上空から地上又は水上を撮影することによって取得されたデータであることを特徴とする請求項１から３までのいずれか１項に記載の画像処理装置。
【請求項５】
前記属性情報は、前記入力画像データ中の各画素が、地上を撮影することで得られたと推測されるか、水上を撮影することで得られたと推測されるか、地上及び水上以外を撮影と推測されるか、の３種類の情報を含むことを特徴とする請求項１から４までのいずれか１項に記載の画像処理装置。
【請求項６】
前記照明情報は、前記入力画像データの撮影時における、撮影地点の太陽の高度及び天候を含むことを特徴とする請求項１から５までのいずれか１項に記載の画像処理装置。
【請求項７】
被写体を撮影することによって取得された入力画像データを、画素毎の属性情報と前記撮影時の照明情報とを用いて画像処理する画像処理方法において、Ｎを正の整数としたときに、
入力画像データの着目画素の画素値と該着目画素の周辺の周辺画素の画素値とを参照して、エッジ成分を保存しながらＮ個の加重平均画素値をそれぞれ算出し、また、前記Ｎ個の加重平均画素値の算出時に参照する画素の画素数が互いに異なる画素数である、ステップと、
前記Ｎ個の加重平均画素値と前記着目画素の画素値とから成るＮ＋１個の画素値の中から選択された２個の画素値の差分をとることによって、Ｎ個の帯域分割画素値をそれぞれ算出するステップと、
前記着目画素に対応する前記属性情報と前記撮影時の前記照明情報とから、前記着目画素に関するゲイン算出時に選択されるパラメータを示すゲイン算出パラメータ選択情報を算出するステップと、
加重平均画素値の算出時に参照する画素数が最も多い加重平均算出処理によって算出された加重平均画素値であるベース成分画素値と、前記着目画素に関するゲイン算出パラメータ選択情報とから、Ｎ＋１個のベース成分連動ゲインを算出するステップと、
前記Ｎ個の帯域分割画素値と、前記着目画素に関するゲイン算出パラメータ選択情報とから、Ｎ個の帯域連動ゲインを算出するステップと、
前記Ｎ＋１個のベース成分連動ゲインの中で、前記Ｎ個の帯域分割画素値に対応するＮ個のベース成分連動ゲインと、前記Ｎ個の帯域連動ゲインとをそれぞれ乗算することによって、Ｎ個の合成ゲインを生成するステップと、
前記ベース成分画素値に対応するベース成分連動ゲインと、前記ベース成分画素値とを乗算するステップと、
前記Ｎ個の帯域分割画素値に対応する前記Ｎ個の帯域連動ゲインと、前記Ｎ個の帯域分割画素値とをそれぞれ乗算するステップと、
前記ベース成分画素値の前記乗算によって得られた画素値と、前記Ｎ個の帯域分割乗算の前記乗算によって得られたＮ個の画素値とから成るＮ＋１個の画素値を加算することによって、出力画素値を算出するステップと
を有することを特徴とする画像処理方法。
【請求項８】
前記着目画素に関するゲイン算出パラメータ選択情報を参照して、Ｍ個のベース成分連動ゲイン算出パラメータから１個のベース成分連動ゲイン算出パラメータを選択し、該選択されたベース成分連動ゲイン算出パラメータと、前記着目画素に関するベース成分画素値とを参照して、Ｎ＋１個のベース成分連動ゲインを算出することを特徴とする請求項７に記載の画像処理方法。
【請求項９】
前記着目画素に関するゲイン算出パラメータ選択情報を参照して、Ｌ個の帯域連動ゲイン算出パラメータから１個の帯域連動ゲイン算出パラメータを選択し、該選択された帯域連動ゲイン算出パラメータと、前記着目画素に関する前記Ｎ個の帯域分割画素値とから、前記Ｎ個の帯域連動ゲインを算出することを特徴とする請求項７又は８に記載の画像処理方法。
【請求項１０】
前記入力画像データは、上空から地上又は水上を撮影することによって取得されたデータであることを特徴とする請求項７から９までのいずれか１項に記載の画像処理方法。
【請求項１１】
前記属性情報は、前記入力画像データ中の各画素が、地上を撮影することで得られたと推測されるか、水上を撮影することで得られたと推測されるか、地上及び水上以外を撮影と推測されるか、の３種類の情報を含むことを特徴とする請求項７から１０までのいずれか１項に記載の画像処理方法。
【請求項１２】
前記照明情報は、前記入力画像データの撮影時における、撮影地点の太陽の高度及び天候を含むことを特徴とする請求項７から１１までのいずれか１項に記載の画像処理方法。
【請求項１３】
コンピュータに、被写体を撮影することによって取得された入力画像データを、画素毎の属性情報と前記撮影時の照明情報とを用いて画像処理を実行させるプログラムであって、Ｎを正の整数としたときに、前記コンピュータに、
入力画像データの着目画素の画素値と該着目画素の周辺の周辺画素の画素値とを参照して、エッジ成分を保存しながらＮ個の加重平均画素値をそれぞれ算出し、また、前記Ｎ個の加重平均画素値の算出時に参照する画素の画素数が互いに異なる画素数である処理と、
前記Ｎ個の加重平均画素値と前記着目画素の画素値とから成るＮ＋１個の画素値の中から選択された２個の画素値の差分をとることによって、Ｎ個の帯域分割画素値をそれぞれ算出する処理と、
前記着目画素に対応する前記属性情報と前記撮影時の前記照明情報とから、前記着目画素に関するゲイン算出時に選択されるパラメータを示すゲイン算出パラメータ選択情報を算出する処理と、
加重平均画素値の算出時に参照する画素数が最も多い加重平均算出処理によって算出された加重平均画素値であるベース成分画素値と、前記着目画素に関するゲイン算出パラメータ選択情報とから、Ｎ＋１個のベース成分連動ゲインを算出する処理と、
前記Ｎ個の帯域分割画素値と、前記着目画素に関するゲイン算出パラメータ選択情報とから、Ｎ個の帯域連動ゲインを算出する処理と、
前記Ｎ＋１個のベース成分連動ゲインの中で、前記Ｎ個の帯域分割画素値に対応するＮ個のベース成分連動ゲインと、前記Ｎ個の帯域連動ゲインとをそれぞれ乗算することによって、Ｎ個の合成ゲインを生成する処理と、
前記ベース成分画素値に対応するベース成分連動ゲインと、前記ベース成分画素値とを乗算する処理と、
前記Ｎ個の帯域分割画素値に対応する前記Ｎ個の帯域連動ゲインと、前記Ｎ個の帯域分割画素値とをそれぞれ乗算する処理と、
前記ベース成分画素値の前記乗算によって得られた画素値と、前記Ｎ個の帯域分割乗算の前記乗算によって得られたＮ個の画素値とから成るＮ＋１個の画素値を加算することによって、出力画素値を算出する処理と
を実行させるプログラム。
【請求項１４】
コンピュータに、被写体を撮影することによって取得された入力画像データを、画素毎の属性情報と前記撮影時の照明情報とを用いて画像処理を実行させる前記コンピュータにより読取り可能なプログラムを記録した情報記録媒体であって、Ｎを正の整数としたときに、前記コンピュータに、
入力画像データの着目画素の画素値と該着目画素の周辺の周辺画素の画素値とを参照して、エッジ成分を保存しながらＮ個の加重平均画素値をそれぞれ算出し、また、前記Ｎ個の加重平均画素値の算出時に参照する画素の画素数が互いに異なる画素数である、処理と、
前記Ｎ個の加重平均画素値と前記着目画素の画素値とから成るＮ＋１個の画素値の中から選択された２個の画素値の差分をとることによって、Ｎ個の帯域分割画素値をそれぞれ算出する処理と、
前記着目画素に対応する前記属性情報と前記撮影時の前記照明情報とから、前記着目画素に関するゲイン算出時に選択されるパラメータを示すゲイン算出パラメータ選択情報を算出する処理と、
加重平均画素値の算出時に参照する画素数が最も多い加重平均算出処理によって算出された加重平均画素値であるベース成分画素値と、前記着目画素に関するゲイン算出パラメータ選択情報とから、Ｎ＋１個のベース成分連動ゲインを算出する処理と、
前記Ｎ個の帯域分割画素値と、前記着目画素に関するゲイン算出パラメータ選択情報とから、Ｎ個の帯域連動ゲインを算出する処理と、
前記Ｎ＋１個のベース成分連動ゲインの中で、前記Ｎ個の帯域分割画素値に対応するＮ個のベース成分連動ゲインと、前記Ｎ個の帯域連動ゲインとをそれぞれ乗算することによって、Ｎ個の合成ゲインを生成する処理と、
前記ベース成分画素値に対応するベース成分連動ゲインと、前記ベース成分画素値とを乗算する処理と、
前記Ｎ個の帯域分割画素値に対応する前記Ｎ個の帯域連動ゲインと、前記Ｎ個の帯域分割画素値とをそれぞれ乗算する処理と、
前記ベース成分画素値の前記乗算によって得られた画素値と、前記Ｎ個の帯域分割乗算の前記乗算によって得られたＮ個の画素値とから成るＮ＋１個の画素値を加算することによって、出力画素値を算出する処理と
を実行させるプログラムを記録した情報記録媒体。
【手続補正２】
【補正対象書類名】明細書
【補正対象項目名】０００６
【補正方法】変更
【補正の内容】
【０００６】
本発明に係る画像処理装置は、被写体を撮影することによって取得された入力画像データを、画素毎の属性情報と前記撮影時の照明情報とを用いて画像処理する画像処理装置において、Ｎは正の整数としたときに、少なくとも、Ｎ個の加重平均算出手段と、Ｎ個の減算手段と、ゲイン算出パラメータ選択情報算出手段と、Ｎ＋１個のベース成分連動ゲイン算出手段と、Ｎ個の帯域連動ゲイン算出手段と、Ｎ個のゲイン乗算手段と、ベース成分乗算手段と、Ｎ個の帯域分割乗算手段と、加算手段とを有し、
前記Ｎ個の加重平均算出手段は、前記入力画像データの着目画素の画素値と該着目画素の周辺の周辺画素の画素値とを参照して、エッジ成分を保存しながらＮ個の加重平均画素値をそれぞれ算出し、また、前記Ｎ個の加重平均算出手段が前記Ｎ個の加重平均画素値の算出時に参照する画素の画素数が互いに異なる画素数であり、
前記Ｎ個の減算手段は、前記Ｎ個の加重平均画素値と前記着目画素の画素値とから成るＮ＋１個の画素値の中から選択された２個の画素値の差分をとることによって、Ｎ個の帯域分割画素値をそれぞれ算出し、
前記ゲイン算出パラメータ選択情報算出手段は、前記着目画素に対応する前記属性情報と前記撮影時の前記照明情報とから、前記着目画素に関するゲイン算出時に選択されるパラメータを示すゲイン算出パラメータ選択情報を算出し、
前記Ｎ＋１個のベース成分連動ゲイン算出手段は、前記Ｎ個の加重平均算出手段の中で、加重平均画素値の算出時に参照する画素数が最も多い加重平均算出手段によって算出された加重平均画素値であるベース成分画素値と、前記着目画素に関するゲイン算出パラメータ選択情報とから、Ｎ＋１個のベース成分連動ゲインをそれぞれ算出し、
前記Ｎ個の帯域連動ゲイン算出手段は、前記Ｎ個の帯域分割画素値と、前記着目画素に関するゲイン算出パラメータ選択情報とから、Ｎ個の帯域連動ゲインをそれぞれ算出し、
前記Ｎ個のゲイン乗算手段は、前記Ｎ＋１個のベース成分連動ゲインの中で、前記Ｎ個の帯域分割画素値に対応するＮ個のベース成分連動ゲインと、前記Ｎ個の帯域連動ゲインとをそれぞれ乗算することによって、Ｎ個の合成ゲインを生成し、
前記ベース成分乗算手段は、前記ベース成分画素値に対応するベース成分連動ゲインと、前記ベース成分画素値とを乗算し、
前記Ｎ個の帯域分割乗算手段は、前記Ｎ個の帯域分割画素値に対応する前記Ｎ個の帯域連動ゲインと、前記Ｎ個の帯域分割画素値とをそれぞれ乗算し、
前記加算手段は、前記ベース成分乗算手段の前記乗算によって得られた画素値と、前記Ｎ個の帯域分割乗算手段の前記乗算によって得られたＮ個の画素値とから成るＮ＋１個の画素値を加算することによって、出力画素値を算出する
ことを特徴とする。
【手続補正３】
【補正対象書類名】明細書
【補正対象項目名】０００７
【補正方法】変更
【補正の内容】
【０００７】
本発明に係る画像処理方法は、被写体を撮影することによって取得された入力画像データを、画素毎の属性情報と前記撮影時の照明情報とを用いて画像処理する画像処理方法において、Ｎを正の整数としたときに、
入力画像データの着目画素の画素値と該着目画素の周辺の周辺画素の画素値とを参照して、エッジ成分を保存しながらＮ個の加重平均画素値をそれぞれ算出し、また、前記Ｎ個の加重平均画素値の算出時に参照する画素の画素数が互いに異なる画素数である、ステップと、
前記Ｎ個の加重平均画素値と前記着目画素の画素値とから成るＮ＋１個の画素値の中から選択された２個の画素値の差分をとることによって、Ｎ個の帯域分割画素値をそれぞれ算出するステップと、
前記着目画素に対応する前記属性情報と前記撮影時の前記照明情報とから、前記着目画素に関するゲイン算出時に選択されるパラメータを示すゲイン算出パラメータ選択情報を算出するステップと、
加重平均画素値の算出時に参照する画素数が最も多い加重平均算出処理によって算出された加重平均画素値であるベース成分画素値と、前記着目画素に関するゲイン算出パラメータ選択情報とから、Ｎ＋１個のベース成分連動ゲインを算出するステップと、
前記Ｎ個の帯域分割画素値と、前記着目画素に関するゲイン算出パラメータ選択情報とから、Ｎ個の帯域連動ゲインを算出するステップと、
前記Ｎ＋１個のベース成分連動ゲインの中で、前記Ｎ個の帯域分割画素値に対応するＮ個のベース成分連動ゲインと、前記Ｎ個の帯域連動ゲインとをそれぞれ乗算することによって、Ｎ個の合成ゲインを生成するステップと、
前記ベース成分画素値に対応するベース成分連動ゲインと、前記ベース成分画素値とを乗算するステップと、
前記Ｎ個の帯域分割画素値に対応する前記Ｎ個の帯域連動ゲインと、前記Ｎ個の帯域分割画素値とをそれぞれ乗算するステップと、
前記ベース成分画素値の前記乗算によって得られた画素値と、前記Ｎ個の帯域分割乗算値の前記乗算によって得られたＮ個の画素値とから成るＮ＋１個の画素値を加算することによって、出力画素値を算出するステップと
を有することを特徴とする。
【手続補正４】
【補正対象書類名】明細書
【補正対象項目名】０００８
【補正方法】変更
【補正の内容】
【０００８】
本発明に係るプログラムは、コンピュータに、被写体を撮影することによって取得された入力画像データを、画素毎の属性情報と前記撮影時の照明情報とを用いて画像処理を実行させるプログラムであって、Ｎを正の整数としたときに、前記コンピュータに、入力画像データの着目画素の画素値と該着目画素の周辺の周辺画素の画素値とを参照して、エッジ成分を保存しながらＮ個の加重平均画素値をそれぞれ算出し、また、前記Ｎ個の加重平均画素値の算出時に参照する画素の画素数が互いに異なる画素数である、処理と、
前記Ｎ個の加重平均画素値と前記着目画素の画素値とから成るＮ＋１個の画素値の中から選択された２個の画素値の差分をとることによって、Ｎ個の帯域分割画素値をそれぞれ算出する処理と、
前記着目画素に対応する前記属性情報と前記撮影時の前記照明情報とから、前記着目画素に関するゲイン算出時に選択されるパラメータを示すゲイン算出パラメータ選択情報を算出する処理と、
加重平均画素値の算出時に参照する画素数が最も多い加重平均算出処理によって算出された加重平均画素値であるベース成分画素値と、前記着目画素に関するゲイン算出パラメータ選択情報とから、Ｎ＋１個のベース成分連動ゲインを算出する処理と、
前記Ｎ個の帯域分割画素値と、前記着目画素に関するゲイン算出パラメータ選択情報とから、Ｎ個の帯域連動ゲインを算出する処理と、
前記Ｎ＋１個のベース成分連動ゲインの中で、前記Ｎ個の帯域分割画素値に対応するＮ個のベース成分連動ゲインと、前記Ｎ個の帯域連動ゲインとをそれぞれ乗算することによって、Ｎ個の合成ゲインを生成する処理と、
前記ベース成分画素値に対応するベース成分連動ゲインと、前記ベース成分画素値とを乗算する処理と、
前記Ｎ個の帯域分割画素値に対応する前記Ｎ個の帯域連動ゲインと、前記Ｎ個の帯域分割画素値とをそれぞれ乗算する処理と、
前記ベース成分画素値の前記乗算によって得られた画素値と、前記Ｎ個の帯域分割乗算の前記乗算によって得られたＮ個の画素値とから成るＮ＋１個の画素値を加算することによって、出力画素値を算出する処理とを実行させることを特徴とする。
【手続補正５】
【補正対象書類名】明細書
【補正対象項目名】０００９
【補正方法】変更
【補正の内容】
【０００９】
本発明に係る情報記録媒体は、コンピュータに、被写体を撮影することによって取得された入力画像データを、画素毎の属性情報と前記撮影時の照明情報とを用いて画像処理を実行させる前記コンピュータにより読取り可能なプログラムを記録した情報記録媒体であって、Ｎを正の整数としたときに、前記コンピュータに、入力画像データの着目画素の画素値と該着目画素の周辺の周辺画素の画素値とを参照して、エッジ成分を保存しながらＮ個の加重平均画素値をそれぞれ算出し、また、前記Ｎ個の加重平均画素値の算出時に参照する画素の画素数が互いに異なる画素数である処理と、
前記Ｎ個の加重平均画素値と前記着目画素の画素値とから成るＮ＋１個の画素値の中から選択された２個の画素値の差分をとることによって、Ｎ個の帯域分割画素値をそれぞれ算出する処理と、
前記着目画素に対応する前記属性情報と前記撮影時の前記照明情報とから、前記着目画素に関するゲイン算出時に選択されるパラメータを示すゲイン算出パラメータ選択情報を算出する処理と、
加重平均画素値の算出時に参照する画素数が最も多い加重平均算出処理によって算出された加重平均画素値であるベース成分画素値と、前記着目画素に関するゲイン算出パラメータ選択情報とから、Ｎ＋１個のベース成分連動ゲインを算出する処理と、
前記Ｎ個の帯域分割画素値と、前記着目画素に関するゲイン算出パラメータ選択情報とから、Ｎ個の帯域連動ゲインを算出する処理と、
前記Ｎ＋１個のベース成分連動ゲインの中で、前記Ｎ個の帯域分割画素値に対応するＮ個のベース成分連動ゲインと、前記Ｎ個の帯域連動ゲインとをそれぞれ乗算することによって、Ｎ個の合成ゲインを生成する処理と、
前記ベース成分画素値に対応するベース成分連動ゲインと、前記ベース成分画素値とを乗算する処理と、
前記Ｎ個の帯域分割画素値に対応する前記Ｎ個の帯域連動ゲインと、前記Ｎ個の帯域分割画素値とをそれぞれ乗算する処理と、
前記ベース成分画素値の前記乗算によって得られた画素値と、前記Ｎ個の帯域分割乗算の前記乗算によって得られたＮ個の画素値とから成るＮ＋１個の画素値を加算することによって、出力画素値を算出する処理と
を実行させることを特徴としている。
【手続補正６】
【補正対象書類名】明細書
【補正対象項目名】００１４
【補正方法】変更
【補正の内容】
【００１４】
図１に示されるように、実施の形態１に係る画像処理装置１は、Ｎ個（Ｎは正の整数）の加重平均算出手段としてのエッジ保存加重平均算出部２１，２２，２３と、Ｎ個の減算手段としての減算器３１，３２，３３と、ゲイン算出パラメータ選択情報算出手段としてのゲイン算出パラメータ選択情報算出部１１と、Ｎ＋１個のベース成分連動ゲイン算出手段としてのベース成分連動ゲイン算出部４１，４２，４３，４４と、Ｎ個の帯域連動ゲイン算出手段としての帯域連動ゲイン算出部５１，５２，５３と、Ｎ個の合成乗算手段としての合成乗算器６１，６２，６３と、ベース成分乗算手段としてのベース成分乗算器７４と、Ｎ個の帯域分割乗算手段としての帯域分割乗算器７１，７２，７３と、加算手段としての加算器８１とを有している。
【手続補正７】
【補正対象書類名】明細書
【補正対象項目名】００１８
【補正方法】変更
【補正の内容】
【００１８】
Ｎ＋１個のベース成分連動ゲイン算出部４１，４２，４３，４４は、Ｎ個のエッジ保存加重平均算出部２１，２２，２３の中で、加重平均画素値の算出時に参照する画素数が最も多いエッジ保存加重平均算出部２３によって算出された加重平均画素値Ｄ２３であるベース成分画素値と、着目画素に関するゲイン算出パラメータ選択情報Ｐ１１とから、Ｎ＋１個のベース成分連動ゲインＧ４１，Ｇ４２，Ｇ４３，Ｇ４４をそれぞれ算出する。
【手続補正８】
【補正対象書類名】明細書
【補正対象項目名】００２１
【補正方法】変更
【補正の内容】
【００２１】
ベース成分乗算器７４は、ベース成分画素値Ｄ２３に対応するベース成分連動ゲインＧ４４と、ベース成分画素値Ｄ２３とを乗算することによって、画素値Ｄ７４（＝Ｇ４４×Ｄ２３）を生成する。
【手続補正９】
【補正対象書類名】明細書
【補正対象項目名】００２９
【補正方法】変更
【補正の内容】
【００２９】
加重平均画素値Ｄ２１，Ｄ２２，Ｄ２３の中で、画素参照範囲が最も広い（すなわち、参照する領域の画素数が最も多い）ものをベース成分画素値と呼ぶ。実施の形態１の場合は、加重平均画素値Ｄ２３のことを、ベース平均画素値と呼ぶ。
【手続補正１０】
【補正対象書類名】明細書
【補正対象項目名】００５３
【補正方法】変更
【補正の内容】
【００５３】
合成ゲインＧ６１，Ｇ６２，Ｇ６３は、それぞれ帯域分割画素値Ｄ３１，Ｄ３２，Ｄ３３と、帯域分割乗算器７１，７２，７３で乗算される。このようにして、帯域分割画素値Ｄ３１，Ｄ３２，Ｄ３３を合成ゲインＧ６１，Ｇ６２，Ｇ６３で補正した、ゲイン乗算画素値Ｄ７１，Ｄ７２，Ｄ７３が生成される。
【手続補正１１】
【補正対象書類名】明細書
【補正対象項目名】００７４
【補正方法】変更
【補正の内容】
【００７４】
１  画像処理装置、  ２  記憶装置、  ３  表示装置、  １１  ゲイン算出パラメータ選択情報算出部（ゲイン算出パラメータ選択情報算出手段）、  ２１，２２，２３  エッジ保存加重平均算出部（エッジ保存加重平均算出手段）、  ３１，３２，３３  減算器（減算手段）、  ４１，４２，４３，４４  ベース成分連動ゲイン算出部（ベース成分連動ゲイン算出手段）、  ５１，５２，５３  帯域連動ゲイン算出部（帯域連動ゲイン算出手段）、  ６１，６２，６３  合成乗算器（合成乗算手段）、  ７１，７２，７３  帯域分割乗算器（帯域分割乗算手段）、  ７４  ベース成分乗算器（ベース成分乗算手段）  ８１  加算器（加算手段）、  Ａ１  属性情報、  Ｗ１  照明情報、  Ｄ１  画像データ（入力画素値）、  Ｄ２１，Ｄ２２  加重平均画素値、  Ｄ２３  加重平均画素値（ベース成分画素値）、  Ｄ３１，Ｄ３２，Ｄ３３  帯域分割画素値、  Ｇ４１，Ｇ４２，Ｇ４３，Ｇ４４  ベース成分連動ゲイン、  Ｇ５１，Ｇ５２，Ｇ５３  帯域連動ゲイン、  Ｇ６１，Ｇ６２，Ｇ６３  合成ゲイン、  Ｄ７１，Ｄ７２，Ｄ７３  帯域分割乗算器から出力される画素値、  Ｄ７４  ベース成分乗算器から出力される画素値、  Ｄ８１  出力画素値、  Ｐ１１  ゲイン算出パラメータ選択情報。